(57)【要約】本発明は、特定のジンセノサイドの含有量を効率的に増大させ、かつ、栽培期間を短くすることができる、ウコギ科植物用肥料の提供を課題としている。ケイ酸塩を含有するウコギ科植物用肥料。該ケイ酸塩により、ウコギ科植物中のジンセノサイドの含有量が増大できるウコギ科植物用肥料。該ジンセノサイドは、ジンセノサイドF1、ジンセノサイドF2、ジンセノサイドF5、ジンセノサイドRb1、ジンセノサイドRb2、ジンセノサイドRc、ジンセノサイドRd、ジンセノサイドRe、ジンセノサイドRf、ジンセノサイドRg1、ジンセノサイドRg2(S)、ジンセノサイドRh1(S)、及びジンセノサイドRh1(R)からなる群より選ばれる少なくとも１種のジンセノサイドである。【選択図】図１
2018084274.tif 000002
【特許請求の範囲】
【請求項１】
ケイ酸塩を含有するウコギ科植物用肥料。
【請求項２】
前記ケイ酸塩が水溶性である、請求項１に記載の肥料。
【請求項３】
前記ケイ酸塩がケイ酸アルカリ金属塩又はその水和物である、請求項１又は２に記載の肥料。
【請求項４】
前記ケイ酸塩がケイ酸ナトリウム１０水和物である、請求項１〜３の何れか一項に記載の肥料。
【請求項５】
ウコギ科植物中のジンセノサイドの含有量が増大できる、請求項１〜４の何れか一項に記載の肥料。
【請求項６】
前記ジンセノサイドが、ジンセノサイドF1、ジンセノサイドF2、ジンセノサイドF5、ジンセノサイドRb1、ジンセノサイドRb2、ジンセノサイドRc、ジンセノサイドRd、ジンセノサイドRe、ジンセノサイドRf、ジンセノサイドRg1、ジンセノサイドRg2(S)、ジンセノサイドRh1(S)、及びジンセノサイドRh1(R)からなる群より選ばれる少なくとも１種のジンセノサイドである、請求項５に記載の肥料。
【請求項７】
前記ウコギ科植物が、トチバニンジン属である、請求項１〜６の何れか一項に記載の肥料。
【請求項８】
請求項１〜７の何れか一項に記載の肥料を用いる手段を備える、ウコギ科植物の栽培システム。
【請求項９】
さらに、超音波噴霧手段を備える、請求項８に記載の栽培システム。
【請求項１０】
さらに、光照射手段を備える、請求項８又は９に記載の栽培システム。
【請求項１１】
請求項１〜７の何れか一項に記載の肥料を、ウコギ科植物に施用する工程を備える、ウコギ科植物の栽培方法。
【請求項１２】
さらに、超音波噴霧工程を備える、請求項１１に記載のウコギ科植物の栽培方法。
【請求項１３】
さらに、光照射工程を有する、請求項１１又は１２に記載のウコギ科植物の栽培方法。
【請求項１４】
請求項１〜７の何れか一項に記載の肥料、請求項８〜１０の何れか一項に記載の栽培システム、又は請求項１１〜１３の何れか一項に記載の栽培方法によって得られたウコギ科植物組成物。
【請求項１５】
請求項１４に記載のウコギ科植物であって、少なくとも下記Ａ）〜Ｃ）の何れかの条件を満たすことを特徴とするウコギ科植物組成物。
Ａ）収穫物中に含まれるジンセノサイドF2含有量が０．１ｍｇ以上／生体重１ｇ、
Ｂ）収穫物中に含まれるジンセノサイドRg2(S)含有量が０．０５ｍｇ以上／生体重１ｇ、
Ｃ）収穫物中に含まれるジンセノサイドRf含有量が０．０５ｍｇ以上／生体重１ｇ。
【請求項１６】
請求項１４又は１５に記載のウコギ科植物組成物を含む加工品。
【請求項１７】
請求項１４又は１５に記載のウコギ科植物組成物の抽出物。
【請求項１８】
請求項１７に記載のウコギ科植物組成物の抽出物を製造する方法であって、
前記ウコギ科植物を水溶液で抽出する工程を含む、前記製造方法。
【請求項１９】
前記水溶液がケイ酸塩水溶液である、請求項１８に記載の製造方法。
【請求項２０】
ウコギ科植物を、ケイ酸塩水溶液で抽出する方法。
【発明の詳細な説明】
【技術分野】
【０００１】
本発明は、ケイ酸塩を含有するウコギ科植物用肥料に関する。
【背景技術】
【０００２】
高麗人蔘（コウライニンジン）は、朝鮮人蔘(チョウセンニンジン）、御種人蔘(オタネニンジン）とも呼ばれ、古くから薬用又は食用に用いられているウコギ科の多年草植物である。例えば、新芽の高麗人蔘は、韓国の伝統料理の一つである参鶏湯（サムゲタン）に加え、薬膳料理として利用されており、高麗人蔘の根だけでなく、茎及び葉も食べることができる。【０００３】
高麗人蔘に含まれる主要な有用成分は、ジンセノサイド（Ginsenoside）と呼ばれる人蔘サポニン群であり、このジンセノサイドには、抗酸化作用、血圧促進作用、抗炎症作用等の様々な働きがあることが知られており、近年、高麗人蔘は、韓国だけでなく、世界各国で注目されている。【０００４】
高麗人蔘に含まれるジンセノサイドには、F1、F2、Rc、Rb1、Rb2、Rb3、Rc、Rd等２０種以上の種類が知られている。そして、各種ジンセノサイドごとに、興味深い生理活性を有することが分かってきている（特許文献１）。【０００５】
高麗人蔘の露地栽培は、通常、播種から収穫までに少なくとも４〜６年程度の栽培期間が必要であり、病害虫に弱いため、栽培が非常に難しく、また、収穫後は土地の栄養が失われることから、連作が難しいことが知られている。【０００６】
そこで、これまでにも、高麗人蔘の効率的な栽培方法の研究が盛んに行われている。例えば、特許文献２には、播種から収穫まで、特定の栽培条件で制御する栽培方法が開示されている。【０００７】
高麗人蔘は、根の大きさも重要であるが、中でも、茎が細くて長いものは品質が落ちると判断されることから、茎が太くて短い高麗人蔘の栽培方法が求められている。【０００８】
しかしながら、これら高麗人蔘の栽培方法としては未だに十分ではなく、また、特定のジンセノサイドを多く含む高麗人蔘を、効率的に栽培する方法の確立が望まれている。
【先行技術文献】
【特許文献】
【０００９】
【特許文献１】特開２０１４−０１５４６２号公報
【特許文献２】国際公開第２０１５／０９３６０７号
【発明の概要】
【発明が解決しようとする課題】
【００１０】
本発明は、ジンセノサイドの含有量を増大させ、品質がよく、かつ、栽培期間を短くすることができるウコギ科植物用肥料の提供を課題としている。
【課題を解決するための手段】
【００１１】
本発明者は、前記課題を解決するために鋭意研究を重ねた結果、ケイ酸塩を用いることによって、ウコギ科植物中の特定のジンセノサイドの含有量を増大できることを見出した。本発明は、このような知見に基づき完成されたものである。【００１２】
すなわち、本発明は、下記に示すウコギ科植物用肥料、栽培システム、栽培方法等に関する。
項１.
ケイ酸塩を含有するウコギ科植物用肥料。
項２.
前記ケイ酸塩が水溶性である、項１に記載の肥料。
項３.
前記ケイ酸塩がケイ酸アルカリ金属塩又はその水和物である、項１又は２に記載の肥料。
項４.
前記ケイ酸塩がケイ酸ナトリウム１０水和物である、項１〜３の何れか一項に記載の肥料。
項５.
ウコギ科植物中のジンセノサイドの含有量が増大できる、項１〜４の何れか一項に記載の肥料。
項６.
前記ジンセノサイドが、ジンセノサイドF1、ジンセノサイドF2、ジンセノサイドF5、ジンセノサイドRb1、ジンセノサイドRb2、ジンセノサイドRc、ジンセノサイドRd、ジンセノサイドRe、ジンセノサイドRf、ジンセノサイドRg1、ジンセノサイドRg2(S)、ジンセノサイドRh1(S)、及びジンセノサイドRh1(R)からなる群より選ばれる少なくとも１種のジンセノサイドである、項５に記載の肥料。
項７.
前記ウコギ科植物が、トチバニンジン属である、項１〜６の何れか一項に記載の肥料。
項８.
ウコギ科植物の茎の長さが抑制できる、項１〜７の何れか一項に記載の肥料。
項９.
ウコギ科植物の茎の太さが増大できる、項１〜８の何れか一項に記載の肥料。
項１０.
項１〜９の何れか一項に記載の肥料を用いる手段を備える、ウコギ科植物の栽培システム。
項１１.
さらに、超音波噴霧手段を備える、項１０に記載の栽培システム。
項１２.
さらに、光照射手段を備える、項１０又は１１に記載の栽培システム。
項１３.
前記光照射手段が
（１）紫色光を照射する手段、及び
（２）赤色光を照射する手段を備え、並びに
該（２）赤色光の強度が、（１）紫色光の強度１に対して、３〜３０の範囲である、項１２に記載の栽培システム。
項１４．
前記（１）紫色光が、３８０〜４５０ｎｍの波長域にピークを有する、項１３に記載の栽培システム。
項１５．
前記（２）赤色光が、６２０〜７５０ｎｍの波長域にピークを有する、項１３又は１４に記載の栽培システム。
項１６．
前記（２）赤色光の強度が、（１）紫色光の強度１に対して、３.２〜１０の範囲である、項１３〜１５の何れか一項に記載の栽培システム。
項１７.
項１〜９の何れか一項に記載の肥料を、ウコギ科植物に施用する工程を備える、ウコギ科植物の栽培方法。
項１８.
さらに、超音波噴霧工程を備える、項１７に記載の栽培方法。
項１９．
さらに、光照射工程を有する、項１７又は１８に記載の栽培方法。
項２０.
前記光照射工程が
（１）紫色光を照射する工程、及び
（２）赤色光を照射する工程を備え、並びに
該（２）赤色光の強度が、（１）紫色光の強度１に対して、３〜３０の範囲である、項１９に記載の栽培方法。
項２１．
前記（１）紫色光が、３８０〜４５０ｎｍの波長域にピークを有する、項２０に記載の栽培方法。
項２２．
前記（２）赤色光が、６２０〜７５０ｎｍの波長域にピークを有する、項２０又は２１に記載の栽培方法。
項２３．
前記（２）赤色光の強度が、（１）紫色光の強度１に対して、３.２〜１０の範囲である、項２０〜２２の何れか一項に記載の栽培方法。
項２４．
項１〜９の何れか一項に記載の肥料、項１０〜１６の何れか一項に記載の栽培システム、又は項１７〜２３の何れか一項に記載の栽培方法によって得られたウコギ科植物組成物。
項２５．
項２４に記載のウコギ科植物組成物であって、少なくとも下記Ａ）〜Ｃ）の何れかの条件を満たすことを特徴とするウコギ科植物。
Ａ）収穫物中に含まれるジンセノサイドF2含有量が０．１ｍｇ以上／生体重１ｇ、
Ｂ）収穫物中に含まれるジンセノサイドRg2(S)含有量が０．０５ｍｇ以上／生体重１ｇ、
Ｃ）収穫物中に含まれるジンセノサイドRf含有量が０．０５ｍｇ以上／生体重１ｇ
項２６．
項２４又は２５に記載のウコギ科植物組成物を含む加工品。
項２７．
項２４又は２５に記載のウコギ科植物組成物の抽出物。
項２８．
項２７に記載のウコギ科植物組成物の抽出物を製造する方法であって、
前記ウコギ科植物を水溶液で抽出する工程を含む、前記製造方法。
項２９．
前記水溶液がケイ酸塩水溶液である、項２８に記載の製造方法。
項３０．
ウコギ科植物を、ケイ酸塩水溶液で抽出する方法。
【発明の効果】
【００１３】
本発明によれば、ウコギ科植物中の特定のジンセノサイドの含有量を著しく増大させることができる。【００１４】
本発明によれば、品質が良く、茎が太くかつ短いウコギ科植物を栽培することができる。【００１５】
また、従来の露地栽培では１年程度かかるところ、本発明によれば、約２０〜３０日程度で新芽の高麗人蔘を栽培することができる。【００１６】
このように、従来のウコギ科薬用植物の栽培期間に比べて、短くすることができるため、生産効率が飛躍的に向上し、安価にウコギ科植物を提供することができる。
【図面の簡単な説明】
【００１７】
【図１】図１は、本発明のウコギ科植物用肥料（実施例１及び２）で栽培された高麗人蔘（２５日目）、及び比較例１の従来の栽培方法によって得られた高麗人蔘の比較写真である。
【図２】図２は、比較例１の肥料で各栽培期間（５０日後、７０日後、９０日後、及び１１５日後）で栽培された後の高麗人蔘の写真である。
【図３】図３は、本発明のウコギ科植物用肥料（実施例１及び２）で２５日間栽培された後の高麗人蔘の写真である。
【図４】図４は、本発明の肥料を用いた栽培システム（隔離ベッド土耕栽培）の模式図である。
【図５】図５は、比較例１の肥料を用いた栽培システム（噴霧手段を採用した栽培）の模式図である。
【図６】図６は、本発明の肥料を用いた栽培システム（ＬＥＤ光照射手段及び超音波噴霧手段を採用した栽培）の模式図である。
【発明を実施するための形態】
【００１８】
以下、本発明のウコギ科植物用肥料について詳細に説明する。
【００１９】
ウコギ科植物用肥料
本発明のウコギ科植物用肥料は、ケイ酸塩を含有する。該ケイ酸塩としては、特に限定はなく、例えば、ケイ酸アルカリ金属塩又はその水和物；ケイ酸アルカリ土類金属塩又はその水和物等が挙げられる。中でも、ケイ酸塩としては、水溶性のケイ酸塩（水溶性ケイ素という場合もある。）が好ましく、ケイ酸アルカリ金属塩又はその水和物がより好ましく、ケイ酸アルカリ金属塩の水和物がさらに好ましい。
【００２０】
ケイ酸アルカリ金属塩としては、特に限定はなく、例えば、Na2SiO3、Na4SiO4、Na2Si2O5、Na2Si4O9等のケイ酸ナトリウム；K2SiO3、K4SiO4、K2Si2O5, K2Si4O9等のケイ酸カリウム等の式：m（M2O）・n（SiO2）（式中のm及びnは正の整数を表し、Mはアルカリ金属原子を示す。）が挙げられる。
【００２１】
ケイ酸アルカリ金属塩の水和物としては、その水和物の数に限定はなく、上記ケイ酸アルカリ金属塩の１水和物、２水和物、３水和物、４水和物、５水和物、６水和物、７水和物、８水和物、９水和物、１０水和物、１１水和物等が挙げられる。中でも、ケイ酸ナトリウム１０水和物（Na2SiO3・10H2O）が好ましい。
【００２２】
Na2SiO3・10H2Oは、市販品を、又は例えば、水晶（石英）を高温（約1,650℃以上）で８時間以上かけて燃焼溶解させ、不要な成分を分解処理した結晶（KR10-0361045又はKR10-415594に記載の方法）を用いることができる。
【００２３】
ケイ酸アルカリ土類金属塩としては、特に限定はなく、例えば、式：2CaO・xSiO2（式中、1＜x＜2である。）等のケイ酸カルシウムなどが挙げられる。
【００２４】
ケイ酸アルカリ土類金属塩の水和物としては、その水和物の数に限定はなく、上記ケイ酸アルカリ金属塩の１水和物、２水和物、３水和物、４水和物、５水和物、６水和物、７水和物、８水和物、９水和物、１０水和物、１１水和物等が挙げられる。
【００２５】
ケイ酸塩は、一種単独で又は二種以上を混合して使用することができる。
【００２６】
ケイ酸塩は、固体（結晶、顆粒、粉末等）の形態で用いることができ、又は、該固体を、例えば、水、エタノール等の溶媒で溶解した水溶液を用いることができる。
【００２７】
該水溶液の濃度としては、特に限定はなく、例えば、０．００１〜２００００ppmの範囲が挙げられる。具体的に、本発明の肥料の使用形態としては、固体のケイ酸塩を水で溶解し、濃縮溶液タイプ（例えば、５０００ppm〜２００００ppm）を製造し、該濃縮溶液を実際に肥料として使用する場合に、水等で適宜希釈して用いることができる。
【００２８】
本発明の肥料は、上記ケイ酸塩（又はその水和物）のみからなるものでもよいが、上記ケイ酸塩以外の公知の肥料を含有することができる。
【００２９】
公知の肥料としては、上記ケイ酸塩以外の肥料成分であれば特に限定はなく、無機肥料（化学肥料）、有機肥料等の肥料が挙げられる。
【００３０】
無機肥料としては、例えば、窒素質肥料（石灰窒素；尿素；硫酸アンモニウム、塩化アンモニウム、硝酸アンモニウム等の無機酸アンモニウム塩；硝酸ナトリウム、硝酸カリウム等の硝酸のアルカリ金属塩又はアルカリ土類金属塩）；リン酸質肥料（過リン酸石灰、重過リン酸石灰、熔成リン肥、焼成リン肥等のリン酸のアルカリ金属塩又はアルカリ土類金属塩）；カリ質肥料（炭酸カリ、塩化カリ、硫酸カリ、ケイ酸カリウム等）；複合リン酸カリ肥料（例えば、リン酸一カリウム、リン酸ニカリウム等）；珪酸質肥料（例えば、珪酸カルシウム等）；マグネシウム質肥料（例えば、硫酸マグネシウム、塩化マグネシウム等）；亜鉛質肥料（例えば、硫酸亜鉛、亜鉛等）；カルシウム質肥料（例えば、生石灰、消石灰、炭酸カルシウム等）；マンガン質肥料（例えば、硫酸マンガン、硫酸苦土マンガン等）；ホウ素質肥料（例えば、ホウ素、ホウ酸、ホウ酸塩等）；含鉄肥料（例えば、キレート鉄（エチレンジアミン四酢酸鉄錯体：EDTA-Fe）、鉄鋼スラグ等）；銅肥料（例えば、硫酸銅等）；モリブデン肥料（例えば、モリブデン酸ナトリウム等）などの肥料取締法に定められる普通肥料（複合肥料を含む）が挙げられる。
【００３１】
有機肥料としては、例えば、タンパク質又はその分解物、アミノ酸、アンモニア等の有機態窒素を含むものであればよい。該有機肥料の具体例としては、堆肥、緑肥、ぼかし肥、落葉等の有機質肥料；魚粉、油粕、オカラ、生ゴミ、米糠等の食品残渣又はこれらから得られる抽出物若しくは濃縮物；家畜糞尿、イナワラ等の有機性廃棄物、並びにこれら有機物を含む廃水などが挙げられる。
【００３２】
公知の肥料は、一種単独で又は二種以上を混合して使用することができる。
【００３３】
本発明の肥料中に公知の肥料を添加する場合、その添加量としては、特に限定はなく、例えば、ケイ酸塩１００質量部に対して、通常０．００１〜１００００質量部、好ましくは０．０１〜１０００質量部、より好ましくは０．１〜５００質量部程度である。
【００３４】
また、本発明の肥料には、本発明の効果を損なわない程度に、さらに、生理活性物質（例えば、生育促進剤、生育抑制剤等の生育調整剤等）、微生物資材抽出液、農薬（例えば、除草剤、殺虫剤、殺菌剤、殺ダニ剤、殺線虫剤等）、界面活性剤（例えば、非イオン界面活性剤、陰イオン界面活性剤、カルボン酸系界面活性剤、スルホン酸系界面活性剤、硫酸エステル系界面活性剤、リン酸エステル系界面活性剤、両性界面活性剤等）、ビタミン類（例えば、ビタミンＢ１、ビタミンＢ６、ニコチン酸アミド、コリン塩類等）、腐敗防止剤（例えば、安息香酸ナトリウム、ソルビン酸、プロピオン酸等）、キレート剤（例えば、エチレンジアミン四酢酸又はその塩；クエン酸又はその塩（例えば、ナトリウム塩、カリウム塩等））、ｐＨ調整剤、沈殿防止剤、展着剤、着色剤等のその他の成分を加えることができる。
【００３５】
その他の成分を使用する場合、その使用量は、ケイ酸塩１００質量部に対して、通常０．００１〜１００００質量部、好ましくは０．０１〜１０００質量部、より好ましくは０．１〜５００質量部程度である。
【００３６】
その他の成分は、一種単独で又は二種以上を混合して使用することができる。
【００３７】
本発明の肥料中における珪酸イオンの含有量としては、特に限定はなく、例えば、ＳｉＯ２換算で２０質量％以下であり、好ましくは１０質量％であり、より好ましくは５質量％である。また、上記珪酸イオンの含有量の下限としては、０．００１質量％が好ましく、０．０１質量％がより好ましく、０．１質量％がさらに好ましい。
【００３８】
栽培システム
本発明の肥料は、ウコギ科植物の栽培システム（以下、「本発明の栽培システム」ということもある）に適用することができる。
【００３９】
本発明の栽培システムは、上記ケイ酸塩を含有するウコギ科植物用肥料を用いる手段を備えている。さらに、超音波噴霧手段及び／又は光照射手段を備えることができる。そのほか、本発明の栽培システムには、植物工場で用いられる公知の栽培手段を採用することもできる。
【００４０】
超音波噴霧手段
超音波噴霧手段としては、特に限定はなく、公知の又は市販の超音波噴霧装置を用いることができる。液体肥料の噴霧時間当たりの噴霧量、噴霧時間、噴霧間隔等の条件としては、特に限定はない。
【００４１】
光照射手段
光照射手段としては、特に限定はなく、例えば、（１）紫色照明光を当てる手段、及び／又は（２）赤色照射光を当てる手段が挙げられる。
【００４２】
中でも、（１）紫色光を照射する手段、及び（２）赤色光を照射する手段を備え、並びに該（２）赤色光の強度が、（１）紫色光の強度１に対して、３〜３０の範囲であることが好ましい。
【００４３】
紫色光としては、３８０〜４５０ｎｍの波長域にピークを有し、中でも、好ましくは４００〜４４５ｎｍであり、より好ましくは４２０〜４４０ｎｍである。
【００４４】
赤色光としては、６２０〜７５０ｎｍの波長域にピークを有し、中でも、好ましくは７００〜７４０ｎｍであり、より好ましくは７１０〜７３０ｎｍである。
【００４５】
光照射手段としては、特に限定はなく、例えば、（１）紫色照明光を当てる手段、及び）赤色照射光を当てる手段が挙げられる。
【００４６】
（２）赤色照射光の強度は、（１）紫色照明光の強度１に対して、好ましくは３．２〜１０、より好ましくは１：３．５〜８、特に好ましくは３．８〜４．２の範囲であることが好ましい。
【００４７】
紫色照明光及び赤色照射光は、同時に又は別個に（交互に）照射する手段が挙げられ、同時に照射する手段が好ましい。紫色光及び赤色光の波長は上記波長域の範囲内でそれぞれ変化させることができる。
【００４８】
光量（強度）
紫色光照明光及び赤色光照明光の光量（強度）は、特に限定はなく、例えば、光合成光量子束密度（Photosynthetic Photon Flux Density：PPFD）でそれぞれ１〜１０００μｍｏｌ／ｍ２ｓ、好ましくは１０〜５００μｍｏｌ／ｍ２ｓ、特に好ましくは２０〜２５０μｍｏｌ／ｍ２ｓ程度である。なお、該PPFDとしては、光源から約３０ｃｍの距離の光量を、一般的な光量子計を用いて測定することができる。
【００４９】
また、上記紫色光照明光及び赤色光照明光の光量（強度）比は、例えば「紫色：赤色」で１：３〜３０であり、好ましくは１：３．２〜１０、より好ましくは１：３．５〜８、特に好ましくは３．８〜４．２の範囲である。紫色光照明光及び赤色光照明光の光量は上記範囲内で変化させることができる。
【００５０】
照射時間
ＬＥＤ光照射の時間は、最長で栽培全期間である。また、最短の時間は、本発明の効果が奏される限りにおいて任意に設定できる。
【００５１】
光照射部には、紫色光又は赤色光を放射する光源が含まれる。紫色光及び赤色光の光源には、従来公知の光源を単独で又は組み合わせて用いることができる。
【００５２】
光源には、波長選択が容易で、有効波長域の光エネルギーの占める割合が大きい光を放射する発光ダイオード（ＬＥＤ）、レーザーダイオード（ＬＤ）等の光半導体素子を用いることが好ましい。また光源として、エレクトロルミネッセンス（ＥＬ）を用いる場合、ＥＬは有機であっても無機であってもよい。
【００５３】
光半導体素子は、小型で寿命が長く、材料によって特定の波長で発光して不要な熱放射がないためエネルギー効率が良く、植物に近接照射しても葉焼け等の障害が起こらない。このため、光半導体素子を光源に用いることで、他の光源に比べて、より低電力コストで、より省スペースで栽培を行うことが可能となる。 
【００５４】
栽培方法
本発明の肥料は、ウコギ科植物を栽培する方法（以下、「本発明の栽培方法」ということもある。）に用いることができる。本発明の栽培方法は、さらに、超音波噴霧工程、及び/又は光照射工程を有することができる。
【００５５】
本発明の肥料の形態（形状）としては、特に限定はなく、例えば、粉末状、粒状、糊状、スラリー状、懸濁状、溶液状等の一般に知られている肥料のいかなる形態が使用可能である。中でも、本発明の肥料は、農業上許容可能な溶媒又は担体で所望の濃度に希釈して、液体肥料とすることが好ましい。
【００５６】
農業上許容可能な溶媒とは、水（滅菌水、脱イオン水、超純水を含む）、又はそれ以外の農業上許容し得る水溶液が挙げられる。該水溶液としては、例えば、リン酸塩緩衝液等の緩衝剤、液体培地が挙げられる。
【００５７】
農業上許容可能な担体とは、上記その他の成分等が挙げられる。本発明の肥料が水溶液である場合、その水溶液中におけるケイ酸塩の濃度としては、特に限定はなく、通常、０．００１〜２０００００ppmであり、好ましくは０．０１〜１５００００ppmであり、より好ましくは０．１〜１０００００ppmである。
【００５８】
本発明の肥料の施用方法としては、特に限定はなく、一般的な肥料の施用方法と同様の方法を用いることができる。例えば、本発明の肥料が、液体肥料である場合、該液体肥料を土壌に散布又は潅注する方法；該液体肥料を作物の葉面等に散布する方法；液体肥料を点滴灌水する方法；該液体肥料を水耕栽培する方法；該液体肥料を噴霧耕栽培する方法等が挙げられる。
【００５９】
本発明の植物栽培方法によれば、ウコギ科植物の栽培における栽培コストを抑えることができる。特に、水耕栽培のような人工培地栽培法又は噴霧耕栽培において、電力コスト及び肥料コストを抑えることで、安価な栽培植物を提供することができる。
【００６０】
本発明の栽培方法は、本発明の上記肥料を、ウコギ科植物に施用する工程を備えている。施用方法については、土、ウコギ科植物の種類等によって適宜選択することができる。例えば、本発明の肥料を、栽培土壌、好ましくは対象作物の主な根群域の相当する部分に混和、散布、潅注等により施用できる。本発明の栽培方法としては、特に限定はなく、例えば、上記肥料を、隔離ベッド土耕栽培、水耕栽培、露地栽培等に適用できる。
【００６１】
本明細書において「隔離ベッド土耕栽培」とは、隔離された栽培容器（ベッド）に培養土（床土、まさ土、バーク、ココナッツ培養土、ピートモス、パーライト等）を加え、養液を点滴又は潅水し、作物を栽培する方法である。
【００６２】
本明細書において「水耕栽培」とは、栽培植物の根の全部又は一部が水耕液に浸漬した状態で行う栽培方法であり、例えば、底面潅水方式、バブリング方式、噴霧（ミスト）方式等が挙げられる。底面潅水方式は、再培養器の底面に水又は養液を満たすことにより、植物へ水又は養液を供給して栽培する方法である。バブリング方式は、植物の地下部へ空気バブル含有の水又は養液を供給して栽培する方法である。噴霧方式は、植物の地下部へ水又は養液を噴霧して栽培する方法である。
【００６３】
本明細書において「噴霧耕栽培」とは、例えば、ミスト状にして噴霧する方法が挙げられる。かかる噴霧方式としては、高圧気体を使用した霧吹きタイプ、超音波噴霧（超音波ミスト）等が挙げられる。該超音波噴霧としては、植物栽培において行われている公知の超音波噴霧であれば特に限定はない。
【００６４】
噴霧耕栽培としては、ウコギ科植物中の特定の成分を増大される点、又はウコギ科植物の成長を促進させる点で、超音波噴霧方式が好ましい。
【００６５】
本発明の栽培方法としては、さらに、ＬＥＤ光照射工程を有することができる。本発明の栽培方法は、植物工場、特に完全制御型の植物工場に適用できる。ここで「完全制御型の植物工場」とは、ビル屋内のような閉鎖空間内において、光、湿度、温度等の気象条件、培地の供給又は交換等が完全にシステム化され、また、コンピューター制御された人工環境下で植物の栽培を行う工場を意味している。植物工場では、一般に、管理面、衛生面、労力面等の観点から、水耕栽培形態が採用されている。
【００６６】
通常の水耕栽培では、水耕液のみで栽培されるが、本明細書における水耕栽培では、水耕液に植物の足場としての支持体を充填することができる。支持体には、例えば、ウレタン、ロックウール、砂、礫、バーミキュライト、パーライト等の無機材；おが屑、籾殻、やし殻、バークチップ、床土、まさ土、バーク、ココナッツ培養土、ピートモス、寒天等の天然有機材；又はそれらの組み合わせを使用することもできる。
【００６７】
植物工場における明暗時間（光照射時間及び暗時間）、気温、湿度等を含む気象条件、及び生育期間等の栽培条件は、栽培植物に関して当該分野で公知の条件を適用することができる。中でも、本発明の栽培方法は、上記超音波噴霧工程、及びＬＥＤ光照射工程を有することが好ましい。
【００６８】
ウコギ科植物（又はウコギ科植物組成物）
本発明の肥料、栽培システム又は栽培方法によって得られたウコギ科植物（以下、「本発明によって得られたウコギ科植物」ということもある。）は、ジンセノサイドを含有している。中でも、ジンセノサイドとしては、ジンセノサイドF1、ジンセノサイドF2、ジンセノサイドF5、ジンセノサイドRb1、ジンセノサイドRb2、ジンセノサイドRc、ジンセノサイドRd、ジンセノサイドRe、ジンセノサイドRf、ジンセノサイドRg1、ジンセノサイドRg2(S)、ジンセノサイドRh1(S)、及びジンセノサイドRh1(R)からなる群より選ばれる少なくとも１種を含有している。
【００６９】
本発明によって得られたウコギ科植物は、少なくとも下記Ａ）〜Ｃ）
Ａ）収穫物中に含まれるジンセノサイドF2含有量が０．１ｍｇ以上／生体重１ｇ、
Ｂ）収穫物中に含まれるジンセノサイドRg2(S)含有量が０．０５ｍｇ以上／生体重１ｇ、
Ｃ）収穫物中に含まれるジンセノサイドRf含有量が０．０５ｍｇ以上／生体重１ｇを含有している。
【００７０】
本発明の肥料、栽培システム又は栽培方法によって、ウコギ科植物中のジンセノサイドの含有量を増大させることができる。
【００７１】
ジンセノサイドとは、例えば、高麗人蔘に含まれる特有のサポニン群であり、その種類は、20種類以上存在しており、抗酸化作用、血行促進作用等の各種生理活性を有することが知られている。
【００７２】
ジンセノサイドとしては、例えば、プロトパナキサジオール型ジンセノサイド[例えば、Rb1、Rb2、Rc、Rd、（20R）Rg3、（20S）Rg3、Rh2]、プロトパナキサトリオール型ジンセノサイド[例えば、Re、Rf、Rg1、Rg2、Rh1]、及びオレアノール酸型ジンセノサイド[例えば、RO]に分類できる。中でも、本発明の肥料、栽培システム及び栽培方法では、ウコギ科植物中のジンセノサイドF1、ジンセノサイドF2、ジンセノサイドF5、ジンセノサイドRb1、ジンセノサイドRb2、ジンセノサイドRc、ジンセノサイドRd、ジンセノサイドRe、ジンセノサイドRf、ジンセノサイドRg1、ジンセノサイドRg2(S)、ジンセノサイドRh1(S)、及びジンセノサイドRh1(R)からなる群より選ばれる少なくとも１種のジンセノサイドの含有量を増大することができる。本発明のケイ酸塩を含む肥料を添加して栽培した新芽（若芽）人蔘には、ケイ酸塩を添加しないで栽培した新芽には含まれない栄養成分（ジンセノサイドRf、Rg2s、F2等）が含まれる。例えば、ジンセノサイドF2は、アトピー性皮膚炎を予防又は治療できる効果等の生理活性が近年注目されている成分である（特許文献１）。
【００７３】
本発明の肥料、栽培システム又は栽培方法により、ウコギ科植物の茎の長さを抑制すること、又はウコギ科植物の茎の太さを増大することができる。ウコギ科植物には、根等の地下部、葉、茎、花等の地上部があるが、本発明の肥料を用いる栽培方法によれば、通常の栽培方法と比べて、ウコギ科植物の茎が太く、かつ、短いまま栽培することができる。このような特徴により、上記ジンセノサイドの含有量が増大していることと推察される。
【００７４】
ウコギ科植物としては、特に限定はなく、例えば、タラノキ、ウド等のタラノキ属、ウコギ、コシアブラ等のウコギ属、タカノツメ等のタカノツメ属、ヤツデ等のヤツデ属、アメリカニンジン、オタネニンジン、サンシチニンジン、トチバニンジン等のトチバニンジン属等が挙げられる。中でも、ウコギ科植物としては、ウコギ科薬用植物であるトチバニンジン属が好ましく、高麗人蔘（朝鮮人蔘、オタネ人蔘）がより好ましい。なお、野菜のニンジンは、セリ科であり、ウコギ科植物とは全く別の種である。
【００７５】
高麗人蔘の種類としては、特に限定はなく、例えば、花旗参(米国参)、田七参(中国参)、竹節人蔘(日本参)等が挙げられる。また、これら高麗人蔘は、通常の乾燥工程により、白参、紅参、黒参等の加工物を製造することができる。
【００７６】
加工品
本発明の肥料、栽培システム又は栽培方法によって得られたウコギ科植物は、抽出物、粉末状、顆粒状、粒状、錠剤状、カプセル状、ゲル状、液状等の種々の加工品に加工することができる。これら加工品への加工方法としては、公知の加工技術を用いることができる。このように得られた加工品を、そのままで、又は、さらにその他の成分を含有することで、例えば、生体調節機能性を増強した食品又は医薬品等を製造することができる。
【００７７】
抽出物
抽出物とは、ウコギ科植物を、水、エタノール等の溶媒で抽出したものを意味する。中でも、抽出物としては、上記ケイ酸塩又はその水和物を含む溶媒（溶液）で抽出したものが好ましい。
【００７８】
抽出に用いられるウコギ科植物の部位としては、例えば、葉、茎、根等を用いることができる。本発明のウコギ科植物のケイ酸塩抽出物は、ウコギ科植物の上記部位の全て（葉、茎、及び根）又は一部を用いて抽出することができる。中でも、製造が簡便である点、又は多くの種類の有効成分を含む点で、ウコギ科植物の上記部位全体をまるごと抽出することが好ましい。
【００７９】
抽出方法としては、特に限定はなく、例えば、ウコギ科植物又はその各部位をそのまま、あるいは切断又は粉砕したもの、乾燥したもの、乾燥後粉砕したもの、圧搾抽出した搾汁等を、ケイ酸塩を溶解した溶媒中に浸漬、攪拌、加熱等を組み合わせた抽出方法；超臨界流体抽出法等が挙げられる。
【００８０】
ケイ酸塩又はその水和物を含む溶媒（溶液）としては、一般に抽出物を得る際に用いる溶媒であれば特に限定はなく、例えば、水；エタノール、ｎ−プロピルアルコール、イソプロピルアルコール、ｎ−ブチルアルコール等の低級アルコール系溶媒；酢酸メチル、酢酸エチル、酢酸ブチル、酢酸イソブチル、酢酸プロピル等のエステル系溶媒等の有機溶媒が挙げられる。溶媒は、これらを単独で、又は、２種以上を組み合わせて用いることができる。組み合わせる場合、複数の溶媒の混合物を用いて抽出操作を行う、又は、異なる溶媒で順番に多段階で抽出操作を行うことができる。上記溶媒の中では、操作性、安全性及び環境性の点から、水、エタノールを用いるのが好ましく、水が特に好ましい。本発明においては、ケイ酸塩水溶液を用いることで、ウコギ科植物の抽出物の量を増加させ、抽出速度を大幅に向上させることができる。
【００８１】
抽出する際の溶媒の量としては、特に限定はなく、例えば、ウコギ科植物１００質量部に対して、水１〜１００００質量部であり、好ましくは、５〜１０００質量部であり、より好ましくは１０〜５００質量部である。
【００８２】
ケイ酸塩の水溶液を用いる場合、ケイ酸塩の濃度としては、特に限定はなく、例えば、０．１ppm〜２０００００ppmであり、好ましくは１ppm〜１０００００ppmであり、より好ましくは１０〜５００００ppmである。
【００８３】
ケイ酸塩の量としては、特に限定はなく、例えば、ウコギ科植物１００質量部に対して、１〜１００００質量部であり、好ましくは、５０〜１０００質量部であり、より好ましくは１００〜５００質量部である。
【００８４】
抽出する際に、加熱、又は加圧・加熱して抽出することができる。加圧する場合、その圧力としては、特に限定はなく、例えば、１．０１〜５ＭＰａの範囲で選ばれる。加熱する場合、その温度としては、室温以上であればよく、６０℃以上であることが好ましく、１００℃以上であることがより好ましい。
【００８５】
抽出時間としては、特に限定はなく、例えば、１〜２４時間、好ましくは２〜１８時間、より好ましくは３〜１２時間の範囲である。
【００８６】
次いで、抽出物及び残渣を含む混合物を、必要に応じて濾過又は遠心分離等に供し、残渣である固形成分を除去して抽出物を得る。なお、除去した固形成分を再度、抽出操作に供することもでき、さらにこの操作を何回か繰り返すことができる。本発明において、上記抽出工程は、１回で行うこともできるが、２回以上に分けて抽出することもできる。２回以上の抽出を行う場合は、それぞれ異なる抽出条件を用いることもできる。
【００８７】
このようにして得られた抽出物（又は抽出液）をそのまま用いてもよく、さらに必要に応じて、濃縮、凍結乾燥、スプレードライ等の方法により乾燥し、粉末化したものとして使用してもよい。
【実施例】
【００８８】
以下、実施例、比較例及び試験例を掲げて本発明を具体的に説明するが、本発明はこれらに限定されるものではない。【００８９】
光照射手段の光源
＜光源１＞
光源１には、下記のＬＥＤを用いた。
・紫色ＬＥＤ（中心波長：430ｎｍ）：赤色ＬＥＤ（中心波長：720ｎｍ）
・上記赤色光の強度は、紫色光の強度１に対して、約４となる光源を用いた。
・PPFD：220μmol/m2 sec（光源からの距離30cm）
・使用電圧：24V/28.8W
・600ｍＡ定電流方式/30Ｗ級高出力ＬＥＤ
＜光源２＞
光源２には、下記のＬＥＤを用いた。
・ＬＥＤ（中心波長：450ｎｍ）：ＬＥＤ（中心波長：660ｎｍ）
・上記赤色光の強度は、紫色光の強度１に対して、約２となる光源を用いた。
・PPFD：200μmol/m2 sec（光源からの距離30cm）
・使用電圧：24V/28.8W
・600ｍＡ定電流方式/30Ｗ級高出力ＬＥＤ。【００９０】
栽培システム：隔離ベッド土耕栽培方式
隔離ベッド土耕栽培システムは、図４に示すように、１．パイプ（FRP又は鉄製）、２．支柱パイプ、３．不織布、４．ポリエチレン（PE）フィルムトンネル、５．栽培ベッド、６．点滴ホース、７．苗、８．黒PEフィルム、９．ストローフォームベッド、１０．園芸用床土、１１．籾殻、１２．黒PEフィルム、１３．排水溝、及び１４．コースターパイプを有している。【００９１】
栽培システム：噴霧耕栽培方式
該噴霧耕栽培システムは、図５に示すように、１５．パイプ（FRP又は鉄製）、１６．不織布、１７．ビニールトンネル、１８．鉄材支柱、１９．栽培ベッド、２０．苗、２１．固定用スポンジ、２２．ベッド天板、２３．供給管、２４．排水溝、２５．噴射ノズル（(株) エムテックウィン社製、製品名：MH-106A (6区)、加湿方式超音波式、消費電力: 240W、最大噴霧量: 2,800 ± 200 (約 3000cc)/hr、水方法: 自動給水方式、使用水圧: 0.2〜6.8 bar、使用面積約30坪、外形寸法: 516 (横) × 270 (縦) × 284 (高さ)）、及び２６．不織布を有している。【００９２】
栽培システム：超音波噴霧耕栽培方式
噴霧耕栽培においては、根圏酸素が不足することがあるため、それを解決する手段として超音波噴霧耕栽培が有用である。
図６に示すように、ＬＥＤを用いた光照射手段、及び超音波噴霧手段を用いた栽培システムは、２７．ＬＥＤ、２８．霧噴射ノズル、２９．ビニールカバー、３０．高麗人蔘、３１．栽培ベッド天板、３２．栽培ベッド、３３．超音波スプレーポンプ、３４．パイプ、及び３５．固定用スポンジを有している。【００９３】
ＨＰＬＣ分析の条件
超高速液体クロマトグラフィー装置：LaChromUltra L-2000 Uシリーズ（日立ハイテクノロジーズ製）
該装置は、溶離液のリザーバ、HPLCポンプ（L-2160U）、自動注入システム（L-2200U）及び紫外線検出器（L-2400U）を備えている。【００９４】
カラム: LaChromUltra C18 short-length column（2mm i.d., 50mm L、2μm;日立ハイテクノロジーズ製）、LaChromUltra C18 middle-length column（2mm i.d., 100mm L、2μm;日立ハイテクノロジーズ製）
溶離液A：２０％アセトニトリル水溶液、溶離液B：８０％アセトニトリル水溶液
カラム温度：30℃
検出: Varian 380-LC 
注入量: 5.0μＬ
グラジェント：A/B＝100/0→0/100（10min）；流量：0.2ｍＬ/min。【００９５】
[実施例１]
＜肥料１＞
ケイ酸塩 (Na2SiO3-10H2O)の結晶500ｇ(KOSIBIO Co., Ltd製）を水50リットルで溶解して、本発明の液体肥料１（10,000ppm）を調製した。【００９６】
[参考例１]
肥料A
下記１〜４を含む肥料溶液１ (500ml、DAEYU Co., Ltd)。
１．硝酸カルシウム 20g
２．硝石 30g 
３．キレート鉄 2.5g
４．水 約470cc【００９７】
[参考例２]
肥料B
下記１〜８を含む肥料溶液２(100ml、DAEYU Co., Ltd）。
１．第1リン酸マグネシウム 4.5g
２．硫酸マグネシウム 12.5g
３．ホウ素、又はホウ酸150mg
４．マンガン 100mg
５．亜鉛 10mg
６．銅 5mg
７．モリブデン酸ナトリウム 1mg
８．水 約93cc 【００９８】
[参考例３]
肥料C
上記液体肥料A（500g）と液体肥料B（100g）と水（50L）とを一緒に混ぜて、よく撹拌し、下記１〜１０の成分を含む液状肥料C（50600g）を準備した。
１．硝酸カルシウム（Ca（NO3）2・4H2O） 4g、
２．硝酸カリウム（KNO3） 6g、
３．キレート鉄（エチレンジアミン四酢酸鉄錯体：EDTA-Fe） 0.5g、
４．第1リン酸アンモニウム（NH4・H2PO4） 0.9g、
５．硫酸マグネシウム（MgSO4・4H2O） 2.5g、
６．ホウ素（B）又はホウ酸（H3BO3） 0.03g、
７．マンガン（MnSO4・4H2O） 0.02g、
８．亜鉛（ZnSO4・4H2O） 0.005g、
９．銅（CuSO4・5H2O） 0.002g、
１０．モリブデン酸ナトリウム（NaMoO4・2H2O） 0.001g。【００９９】
[実施例２]
＜肥料２＞
ケイ酸ナトリウム１０水和物（50g）と上記液体肥料C（50600g）一緒に混ぜて、ケイ酸塩を含む液体肥料２（50650g）を調製した。【０１００】
[比較例１]
＜肥料３＞
上記液体肥料Cを肥料３として用いた。【０１０１】
[比較試験例１]
（水耕栽培；噴霧耕栽培方式）
栽培天板ベッドに、上記高麗人蔘の１年苗を、等間隔（約４ｃｍ）に配置し、地下部に上記噴霧スプレー（超音波ではない）及び地上部にＬＥＤランプ（光源２）を配置した（図５）。上記光源２のＬＥＤを用いて光を照射しながら、上記肥料３を噴霧して、栽培を行った。【０１０２】
比較試験例１で栽培した高麗人蔘の成分を分析し、中でも、ジンセノサイドの各成分量の結果を表１及び表２に示す。【０１０３】
[試験例１]
（土耕栽培；隔離ベッド栽培方式）
上記高麗人蔘の１年苗を、隔離ベッド（図４）の培土に等間隔（約４ｃｍ）に植えた。本発明の上記肥料１を用いて、上記ＬＥＤ光照射下で、高麗人蔘の土耕栽培方式の栽培を行った。【０１０４】
試験例１で栽培した高麗人蔘の成分を分析し、中でも、ジンセノサイドの各成分量の結果を表１に示す【０１０５】
【表１】
2018084274.tif 000003
【０１０６】
＜栽培結果＞
比較例１の肥料は、高麗人蔘の着床から採取まで、通常60〜90日程度の栽培期間を要するが、これに対して、実施例１の肥料は、25日という栽培期間で早く育成することができ、生産効率が飛躍的に向上した。 
また、表１の結果から明らかなように、本発明の肥料１を用いて栽培した高麗人蔘は、従来の比較例１の肥料を用いて栽培した高麗人蔘と比べて、ジンセノサイドの含有量がそれぞれ大幅に増大した。図１に示すように、本発明の肥料を用いた栽培して高麗人蔘の茎Ａは、従来の比較例１の肥料を用いて栽培した高麗人蔘の茎Ｂと比べて、茎が短くかつ太いことから、本発明によって、品質が高いとされる高麗人蔘が収穫できた。【０１０７】
[試験例２]
（水耕栽培；超音波噴霧耕栽培方式）
栽培天板ベッドに、上記高麗人蔘の１年苗を、等間隔（約４ｃｍ）に配置し、地下部に上記超音波噴霧スプレー及び地上部にＬＥＤランプ（光源１）を配置した（図６）。本発明の上記肥料２を用いて、上記ＬＥＤ光照射下で、高麗人蔘の超音波噴霧耕方式の栽培を行った。【０１０８】
試験例２で栽培した高麗人蔘の成分を分析し、中でも、ジンセノサイドの各成分量の結果を表２に示す。【０１０９】
【表２】
2018084274.tif 000004
【０１１０】
＜栽培結果＞
比較例１の肥料は、高麗人蔘の着床から採取まで、通常60〜90日程度の栽培期間を要するが、これに対して、実施例２の肥料は、25日という栽培期間で早く育成することができ、生産効率が飛躍的に向上した。 
また、表２の結果から明らかなように、本発明の肥料を用いて栽培した高麗人蔘は、従来の比較例１の肥料を用いて栽培した高麗人蔘と比べて、ジンセノサイドの含有量がそれぞれ大幅に増大した。図１に示すように、本発明の肥料を用いた栽培して高麗人蔘の茎Ａは、従来の比較肥料１を用いて栽培した高麗人蔘の茎Ｂと比べて、茎が短くかつ太いことから、本発明によって、品質が高いとされる高麗人蔘が収穫できた。【０１１１】
[実施例３（ウコギ科植物ケイ素水抽出物１の製造方法）]
上記試験例１の栽培システム又は栽培方法によって得られた高麗人蔘を90℃で10時間乾燥し、その乾燥物（水分量12〜14％）60g、ケイ酸ナトリウム１０水和物の結晶100g、及び水3Lを圧力鍋に入れ、85℃〜125℃で約６時間加熱し、焦げ茶色の高麗人蔘ケイ素水抽出物（2970g、高麗人蔘濃度2％）を得た。なお、該高麗人蔘ケイ素水抽出物には、約100〜120gの固形成分が沈殿している。水で抽出する場合に比べて、ケイ酸ナトリウム１０水和物水溶液を用いる場合、その抽出スピードが早くなることがわかった。なお、ケイ酸ナトリウム１０水和物の結晶100gを加えない以外は、上記実施例１と同様の栽培システム又は栽培方法によって得られた高麗人蔘を水3Lのみで抽出を行ったが、抽出はうまく行かなかった。したがって、ケイ素水を用いることが重要であることが分かった。【０１１２】
[実施例４（ウコギ科植物ケイ素水抽出物２の製造方法）]
試験例１及び２の栽培システム又は栽培方法によって得られた高麗人蔘を凍結乾燥し、その乾燥物60gを圧力鍋に入れ、さらに上記実施例１及び２で使用したケイ酸ナトリウム１０水和物水溶液（10000ppm）3Lを加え、85℃〜125℃で約６時間加熱し、焦げ茶色の抽出物を得た（2970g）。水で抽出する場合に比べて、ケイ酸ナトリウム１０水和物水溶液を用いる場合、その抽出スピードが早くなることがわかった。【０１１３】
[実施例５（ウコギ科植物ケイ素水抽出物３の製造方法）]
試験例１及び２の栽培システム又は栽培方法によって得られた高麗人蔘を凍結乾燥し、その乾燥物60g、ケイ酸ナトリウム１０水和物の結晶100g、及び水3Lを圧力鍋に入れ、85℃〜125℃で約６時間加熱し、焦げ茶色の抽出物（2970g）を得た。該抽出物には、約100〜120gの固形成分が沈殿している。水で抽出する場合に比べて、ケイ酸ナトリウム１０水和物水溶液を用いる場合、その抽出スピードが早くなることがわかった。
【符号の説明】
【０１１４】
１．パイプ（FRP又は鉄製）、２．支柱パイプ、３．不織布、４．PEフィルムトンネル、５．栽培ベッド、６．点滴ホース、７．苗、８．黒PEフィルム、９．ストローフォームベッド、１０．園芸用床土、１１．籾殻、１２．黒PEフィルム、１３．排水溝、１４．コースターパイプ、１５．パイプ（FRP又は鉄製）、１６．不織布、１７．ビニールトンネル、１８．鉄材支柱、１９．栽培ベッド、２０．苗、２１．固定用スポンジ、２２．ベッド天板、２３．供給管、２４．排水溝、２５．噴射ノズル（超音波でない）、２６．不織布、２７．ＬＥＤ、２８．霧噴射ノズル、２９．ビニールカバー、３０．高麗人蔘、３１．栽培ベッド天板、３２．栽培ベッド、３３．超音波スプレーポンプ、３４．パイプ、３５．固定用スポンジ
【図１】
2018084274.tif 000005
【図２】
2018084274.tif 000006
【図３】
2018084274.tif 000007
【図４】
2018084274.tif 000008
【図５】
2018084274.tif 000009
【図６】
2018084274.tif 000010
【国際調査報告】
2018084274.tif 000011
2018084274.tif 000012
2018084274.tif 000013
2018084274.tif 000014
2018084274.tif 000015
2018084274.tif 000016
2018084274.tif 000017
2018084274.tif 000018